(57)【要約】【課題】地下鉄や地下街等の地下施設への浸水が発生している際に、地下施設から地上部への安全な避難経路を確保すること。【解決手段】この通行装置１００は、通路側壁２０１に所定の間隔を設けて取り付けられ、複数の通行装置１００が階段２０３の傾斜に沿って階段状に配置される。この通行装置１００は、平常時においては通路側壁２０１側へ格納されているが、使用時には展開して地上部への避難通路として使用される。例えば集中豪雨等によって通路２００の出入口２００Ｉから水Ｗが流れむような場合、通行装置１００を展開し、通路側壁２０１から突出させる。そして、避難者Ａのように、通行装置１００が備える踏板２の上を通って地上部に避難する。【選択図】        図１
2007204917.tif 000002
【特許請求の範囲】
【請求項１】
地下施設への出入通路の側壁に、展開及び折り畳みが可能な踏板を取り付け、
平常時には前記踏板の踏面を前記側壁に沿って折り畳み、
また浸水時には前記踏板を展開して前記側壁から前記踏板を突出させ、かつ前記出入通路の地面から所定の高さに前記踏板を設置して避難経路とすることを特徴とする通行装置。
【請求項２】
前記踏板を展開させたときに、前記踏板から前記出入通路側に張り出す張出部を備えることを特徴とする請求項１に記載の通行装置。
【請求項３】
前記踏板の踏面には、滑り止め手段が設けられることを特徴とする請求項１又は２に記載の通行装置。
【請求項４】
前記踏板を展開させたとき、前記踏板は、
前記踏板の下方に設けられかつ前記踏板の前記側壁側の端部を支持する第１支持部材と、前記踏板の前記出入通路側の端部及び前記側壁を連結する第２支持部材とで支持される両持ち構造であることを特徴とする請求項１〜３のいずれか１項に記載の通行装置。
【請求項５】
前記踏板の前記出入通路側の端部は前記第２支持部材にピン結合されるとともに、前記踏板の前記側壁側の端部は前記第１支持部材に抜き差し可能なキーで支持されることを特徴とする請求項４に記載の通行装置。
【請求項６】
前記踏板を展開させたときには、
複数の前記踏板が前記出入通路の傾斜に沿って階段状に配置されることを特徴とする請求項１〜５のいずれか１項に記載の通行装置。
【請求項７】
前記踏板を展開させたときには、
隣接する前記踏板の間に、踏み抜き防止部材が設けられることを特徴とする請求項６に記載の通行装置。
【請求項８】
前記踏板を展開させたときには、
前記踏板の踏面が、前記出入通路の傾斜と平行に配置されることを特徴とする請求項１〜５のいずれか１項に記載の通行装置。
【発明の詳細な説明】
【技術分野】
【０００１】
本発明は、地下街や地下鉄等の地下施設への浸水時に、前記地下施設への出入通路を通って地上へ避難する際に使用する通行装置に関する。
【背景技術】
【０００２】
台風や集中豪雨等によって増水すると、地下道や建物等に増水した水が流入し、通路や屋内が浸水する等の被害が発生するおそれがある。特に、最近の都市型浸水に見られるように、地上部での急激な水位の上昇への対応が遅れ、その結果、地下街のような地下施設に浸水する事例が発生している。今後も時間当り雨量の増加や総雨量の増加、あるいは局地的な大雨に起因して、都市型浸水の発生頻度が増加することが懸念される。
【０００３】
地下施設に対する浸水被害に対しては、例えば、特許文献１には、路面下に掘り込んだ空間に防水板を格納しておき、増水時には、前記防水板を起立させて浸水を防止する防水装置が開示されている。また、止水板を通路の出入口に配置する、いわゆる落とし込み方式の防水装置は、比較的低コストで設置できるという観点から多くの場所で採用されており、浸水時には、地下施設の倉庫等の別区画に保管されている分割式の止水板を係員が人力で運び上げ、地下施設への出入口に設置している。
【０００４】
【特許文献１】特開２００４−９２２７０号公報
【発明の開示】
【発明が解決しようとする課題】
【０００５】
しかしながら、採用比率の高い止水板落とし込み方式の防水装置では、設置のタイミングを逃し、増水が加速していくと、もはや止水板を激しい流れに逆らって階段上部まで搬出し、地下施設の出入口に設置することは困難である。
【０００６】
図１４は、急激な水位の上昇に対して止水板の設置が間に合わない状態を示す概念図である。図１４に示すように、急激に水位が上昇した場合には、止水板３０４を通路３００の出入口３００Ｉに設置することが間に合わず、階段３０３の上面を勢いよく水が流れ下る。通路３００の出入口３００Ｉから流れ下る水量が増えると、避難者Ｅのように外部に避難できる者がある一方、避難者Ｆ、Ｇの女性や子供のように、階段３０３の下で歩行が困難となって行き場をなくす者が出てくる。
【０００７】
地下施設へ出入する通路３００から浸水する場合に、前記通路３００を通って地上部へ避難する場合、浸水水位の上昇とともに、自力で避難できる状況から階段３０３の側壁３０１に設置された手すり３０５につかまらないと階段を上がれない状況、さらに階段３０３を上ること自体が危険になる状況へと推移する。
【０００８】
地下施設への浸水被害の特異性としては、避難経路が限定され、水の流入経路と避難経路とが重なる可能性が大きい点、一旦出入口からの浸水が始まると、水が一気に流れ込み避難時間の猶予がない点、機械、電気など設備機能が停止する点が指摘されている。このため、指摘されている前記条件下で、地上部への避難に重大な影響を及ぼす浸水状況が生じる前までに、速やかに地上部への避難が完了できることが地下施設への浸水に対しては重要である。さらに、あくまでも避難先は安全な地上部であることが重要である。
【０００９】
そこで、この発明は、上記に鑑みてなされたものであって、地下施設への出入通路から地下施設へ浸水している状況において、地下施設から地上部への安全な避難経路を確保することを目的とする。
【課題を解決するための手段】
【００１０】
上述した課題を解決し、目的を達成するために、本発明に係る通行装置は、地下施設への出入通路の側壁に、展開及び折り畳みが可能な踏板を取り付け、平常時には前記踏板の踏面を前記側壁に沿って折り畳み、また浸水時には前記踏板を展開して前記側壁から前記踏板を突出させ、かつ前記出入通路の地面から所定の高さに前記踏板を設置して避難経路とすることを特徴とする。
【００１１】
この通行装置は、地下施設へ出入りするための出入通路の側壁に、展開及び折り畳みが可能な踏板を取り付け、浸水時には踏板を展開して前記側壁から前記踏板を突出させ、かつ前記出入通路の地面から所定の高さに前記踏板を設置して避難経路とする。このような構成により、地下施設から地上へ避難する避難者は、出入通路を流れる水の上に突出した踏板を通って地上部へ避難することができる。これによって、地下施設への出入通路から地下施設へ浸水している状況において、地下施設から地上部への安全な避難経路を確保することが可能となる。
【００１２】
次の本発明に係る通行装置は、前記通行装置において、前記踏板を展開させたときに、前記踏板から前記出入通路側に張り出す張出部を備えることを特徴とする。
【００１３】
この通行装置は、前記通行装置の構成を備えるので、前記通行装置と同様の作用、効果を奏する。さらにこの通行装置は、踏板を展開させたときに、踏板から出入通路側に張り出す張出部を備える。この張出部によって、地下施設から地上へ避難する避難者が、踏板から足を踏み外すおそれを低減できるので、地下施設から地上部へ避難する際の安全性がより向上する。
【００１４】
次の本発明に係る通行装置は、前記通行装置において、前記踏板の踏面には、滑り止め手段が設けられることを特徴とする。
【００１５】
この通行装置は、前記通行装置の構成を備えるので、前記通行装置と同様の作用、効果を奏する。さらにこの通行装置は、踏板の踏面に滑り止め手段を備える。これによって、踏板上を通行する避難者が踏板から足を滑らせるおそれが低減できるので、避難時の安全性がより向上する。特に、踏板は出入通路を流れる水がかかって滑りやすくなっていることが多いため、滑り止め手段は有用である。
【００１６】
次の本発明に係る通行装置は、前記通行装置において、前記踏板を展開させたとき、前記踏板は、前記踏板の下方に設けられかつ前記踏板の前記側壁側の端部を支持する第１支持部材と、前記踏板の前記出入通路側の端部及び前記側壁を連結する第２支持部材とで支持される両持ち構造であることを特徴とする。
【００１７】
この通行装置は、前記通行装置の構成を備えるので、前記通行装置と同様の作用、効果を奏する。さらにこの通行装置は、踏板を両持ちで支持する。これによって、踏板を片持ちで支持する場合と比較して、より大きな荷重を支持できるので、避難時の安全性が向上する。また、想定外の荷重が通行装置に加わった場合における安全性も向上する。
【００１８】
次の本発明に係る通行装置は、前記通行装置において、前記踏板の前記出入通路側の端部は前記第１支持部材にピン結合されるとともに、前記踏板の前記側壁側の端部は前記第１支持部材に抜き差し可能なキーで支持されることを特徴とする。
【００１９】
この通行装置は、前記通行装置の構成を備えるので、前記通行装置と同様の作用、効果を奏する。さらにこの通行装置は、踏板をピンと抜き差し可能なキーとで支持され、キーを抜くことで踏板を展開し、また折り畳む。これによって、簡単に踏板を展開し、また折り畳むことができるので、緊急時であっても迅速に踏板を展開することができる。
【００２０】
次の本発明に係る通行装置は、前記通行装置において、前記踏板を展開させたときには、複数の前記踏板が前記出入通路の傾斜に沿って階段状に配置されることを特徴とする。
【００２１】
この通行装置は、前記通行装置の構成を備えるので、前記通行装置と同様の作用、効果を奏する。さらにこの通行装置は、複数の踏板が出入通路の傾斜に沿って階段状に配置され、踏板の踏面は、ほぼ水平となる。これによって、踏面上での安定性が向上するので、より安全に避難することができる。
【００２２】
次の本発明に係る通行装置は、前記通行装置において、前記踏板を展開させたときには、隣接する前記踏板の間に、踏み抜き防止部材が設けられることを特徴とする。
【００２３】
この通行装置は、前記通行装置の構成を備えるので、前記通行装置と同様の作用、効果を奏する。さらにこの通行装置は、隣接する踏板間に踏み抜き防止部材を設ける。これによって、地下施設から地上へ避難する避難者が、踏板から足を踏み外すおそれを低減できるので、地下施設から地上部へ、より安全に避難することができる。
【００２４】
次の本発明に係る通行装置は、前記通行装置において、前記踏板を展開させたときには、前記踏板の踏面が、前記出入通路の傾斜と平行に配置されることを特徴とする。
【００２５】
この通行装置は、前記通行装置の構成を備えるので、前記通行装置と同様の作用、効果を奏する。さらにこの通行装置は、踏板の踏面を出入通路の傾斜と平行に配置する。これによって、隣接して配置される通行装置の踏板同士の段差を小さく抑えることができる。その結果、地下施設から地上へ避難する避難者が、踏板につまずくおそれを低減できるので、地下施設から地上部へ避難する際の安全性が向上する。
【発明の効果】
【００２６】
この発明に係る通行装置は、地下施設への出入通路から地下施設へ浸水している状況において、地下施設から地上部への安全な避難経路を確保できる。
【発明を実施するための最良の形態】
【００２７】
以下、この発明につき図面を参照しつつ詳細に説明する。なお、この発明を実施するための最良の形態（以下実施形態という）によりこの発明が限定されるものではない。また、下記実施形態における構成要素には、当業者が容易に想定できるもの、あるいは実質的に同一のものが含まれる。以下の実施形態では、本発明に係る防水装置を、例えば地下鉄や地下街その他の地下施設へ出入りするための出入通路に配置した場合を説明する。ここで、上とは、重力の作用方向とは反対側をいい、下とは、重力の作用方向側をいう。
【００２８】
（実施形態１）
実施形態１に係る防水装置は、地下鉄や地下街等の地下施設に通じる出入通路に配置されるものであり、地下施設への出入通路の側壁に、折り畳み可能な踏板を取り付け、浸水時には前記踏板を展開して前記側壁から前記踏板を突出させ、前記出入通路の地面から所定の高さに前記踏板を設置して避難経路とする点に特徴がある。次に、この実施形態に係る通行装置の構成について説明する。
【００２９】
図１は、実施形態１に係る通行装置の構成を説明する全体構成図である。図２−１、図２−２、図２−３は、実施形態１に係る通行装置を展開した状態を示す説明図である。図３−１、図３−２、図３−３は、実施形態１に係る通行装置を格納した状態を示す説明図である。出入通路（以下通路という）２００は、地下鉄や地下街等の地下施設に通じており、階段２０３を使って地下施設へ出入りできるようになっている。
【００３０】
この実施形態に係る通行装置１００は、通路２００の側壁（以下通路側部という）２０２に、避難者の踏み幅程度の間隔を設けて取り付けられる。この実施形態においては、複数の通行装置１００が階段２０３の傾斜に沿って階段状に配置される。この通行装置１００は、平常時においては、図３−１〜図３−３に示すように通路側壁２０１側へ格納されているが、使用時には展開して地上部への避難通路として使用する。
【００３１】
図１は、通路２００へ浸水が始まっている状態を示している。例えば、集中豪雨等によって、水Ｗの水位が通路２００のマウンドアップ２０４を超えると、通路２００の出入口２００Ｉから水Ｗが流れ込み、階段２０３を流れ下る。階段２０３を流れる水Ｗの水位が高くなった場合には、階段２０３を流れる水流の影響で、階段２０３を通って地上部に避難することは難しくなることがある。
【００３２】
このような場合、図１、図２−１、図２−２に示すように、この実施形態に係る通行装置１００の踏板２を展開し、通路側壁２０１から突出させる。ここで、踏板２は、階段２０３を流れる水Ｗの水面よりも上方に突出する。そして、図１に示す避難者Ａのように、通行装置１００が備える踏板２の上を通って地上部に避難する。これによって、階段２０３を流れる水流の影響を受けずに、安全かつ確実に地上部へ避難することができる。
【００３３】
この実施形態では、避難者が通行装置１００を通過する際に体を支持するための補助器具として、応急用手すり２０５を設けている。この応急手すり２０５は、手すり用支柱２０６によって、通常時に使用する手すり２０２よりも高い位置に設置される。この応急用手すり２０５によって、避難者は、通行装置１００をより安全に通過することができる。なお、応急用手すり２０５及び手すり用支柱２０６は常時設置しておいてもよいし、これらを取り外し自在として通行装置１００を使用するときに設置するようにしてもよい。次に、通行装置１００の構成について、より詳細に説明する。
【００３４】
図２−１に示すように、この実施形態に係る通行装置１００は、第１支持部材である取付支持部材１と、踏板２と、第２支持部材である支持部材４とを含んで構成される。踏板２は、頂板２Ｐと、頂板２Ｐの踏面とは反対側に設けられる板状の踏板補強部材２Ｓとで構成される。これによって、踏板２の上に避難者が乗った場合における頂板２Ｐのたわみを抑制する。ここで、頂板２Ｐの周囲を、例えば蛍光塗料で塗装してもよい。このようにすることで、照明が切れたような状態には、頂板２Ｐの踏面を認識しやすくなるので、避難時の安全性が向上する。
【００３５】
踏板２の第１の端部２ｔ1と第２の端部２ｔ2との間における踏板補強部材２Ｓには、通行装置１００の格納時にストッパキー（キー）７が貫通するストッパキー挿入孔２ｈが設けられる。また、踏板２の踏面には、滑り止め手段を設けることが好ましい。例えば、踏板２の頂板２Ｐを金属板（パンチングメタル）で構成し、頂板２Ｐを打ち抜いた際に頂板２Ｐの表面から突出した部分を滑り止め手段として用いることができる。
【００３６】
支持部材４は、第１の端部４ｔ1が取付支持部材１の第１の端部１ｔ1と回転ピン５によって回転可能にピン結合される。また、支持部材４の第２の端部４ｔ2は、踏板２の第１端部２ｔ1側における踏板補強部材２Ｓと、回転ピン６によって回転可能にピン結合される。支持部材４の第１の端部４ｔ1と第２の端部４ｔ2との間には、通行装置１００の格納時にストッパキー７が貫通するストッパキー挿入孔４ｈが設けられる。
【００３７】
取付支持部材１は、通行装置１００の取付対象である通路側壁２０１に、例えばケミカルアンカー等によって固定される。取付支持部材１の第２の端部１ｔ2には、ストッパキー７を挿入するためのストッパキー挿入孔１ｈが設けられる。通行装置１００の展開時においては、図２−３に示すように、ストッパキー挿入孔１ｈに挿入されたストッパキー７に、踏板２の第２の端部２ｔ2が載置される。踏板２の第２の端部２ｔ2には鍔部２ｆが設けられており、鍔部２ｆがストッパキー７とかかり合うことにより、踏板２の脱落を防止する。ストッパキー７は、抜け落ち防止のため、一端部が鉤状（Ｌ字形状）になっている。
【００３８】
図３−１〜図３−３に示すように、通行装置１００の格納時（すなわち非使用時であり平常時）には、踏板２の第２の端部２ｔ2がストッパキー７から取り外され、踏板２は、支持部材４の内部に格納される。そして、ストッパキー７を、取付支持部材１のストッパキー挿入孔１ｈ、支持部材４のストッパキー挿入孔４ｈ、及び踏板補強部材２Ｓのストッパキー挿入孔２ｈに貫通させて、取付支持部材１、支持部材４、及び踏板補強部材２Ｓを一体化して、踏板２が展開しないように固定する。これによって、図３−１、図３−２に示すように、通路側壁２０１から通路側への突き出しが抑えられるので、通行装置１００の非使用時において、通路を通行する際の障害となることを最小限に抑えることができる。
【００３９】
通行装置１００の展開時、すなわち通行装置１００の使用時には、まず、ストッパキー７を取付支持部材１のストッパキー挿入孔１ｈ等から引き抜く。そして、支持部材４に設けられる支持部材引出取っ手４Ｈ（図１、図３−３参照）に手をかけて、図２−１の矢印Ａ方向に向かって支持部材４を引き出す。次に、ストッパキー７を、取付支持部材１のストッパキー挿入孔１ｈ、及び支持部材４のストッパキー挿入孔４ｈに貫通させる。その後、踏板２に設けられる踏板引出取っ手２Ｈに手をかけて図２−１中の矢印Ｂ方向に引き出してストッパキー７の上方まで引き上げ、踏板２の第２の端部２ｔ2をストッパキー７上に載置する。これによって、通行装置１００の踏板２を展開し、使用状態とすることができる。
【００４０】
踏板２を展開し、通路側壁２０１から突出させると、通路２００の地面（この実施形態では階段２０３の踏面）から所定の高さに踏板２が設置される。踏板２が設置される高さは、浸水時に通路２００を流れる水の水面よりも踏板２が高くなるように設定する。踏板２が設置される高さは、例えば、通路２００の地面から３０ｃｍ程度とする。この程度の高さであれば、浸水時に踏板２が水面下になることはほとんどなく、また、踏板２へ乗る際の乗りにくさもほとんどない。
【００４１】
この実施形態に係る通行装置１００は、通路２００の地下施設側から出入口２００Ｉに向かって、順に展開させることができる。すなわち、展開を終えた通行装置１００の踏板２上に乗ったまま、次の通行装置１００を展開することができ、通行装置１００を展開しながら避難することができる。これによって、通路２００が浸水中でも、水中に降り立つことなく通行装置１００を展開させることができるので、通行装置１００の展開時及び避難時の安全性が向上する。
【００４２】
図２−１に示すように、この実施形態に係る通行装置１００が備える踏板２は、使用時において、ストッパキー７と、支持部材４の第２の端部４ｔ2に設けられる回転ピン６とによって両持ちで支持される。これによって、踏板２を片持ちで支持する場合と比較して、より大きな荷重を支持できるので、避難時の安全性が向上する。そして、想定外の荷重が通行装置１００に加わった場合（例えば２人が同時に踏板２に乗るような場合）における安全性も向上する。また、踏板２を両持ちとすれば、同じ強度が要求される場合には、踏板２を片持ちとするよりも、踏板２を両持ちとした方が軽量化することができる。さらに、踏板２を両持ちで支持することにより、踏板２の踏面よりも上方で踏板２を支持する必要はない。これによって、避難者が踏板２の上を通行する際につまずくおそれは極めて低くなるので、避難者は安全に避難することができる。
【００４３】
この実施形態に係る通行装置１００は、取付対象である通路側壁２０１から斜めに突出させた支持部材４と、取付支持部材１に支持されるストッパキー７とによって、踏板２を両持ちで支持する。通行装置１００の支持部材４に水が衝突した場合（図２−１の矢印ｗ）、支持部材４が持ち上げられるが、これによって、回転ピン６を介して支持部材４と連結される踏板２は通路側壁２０１に向かって動き、この動きは、ストッパキー７あるいは通路側壁２０１によって規制される。支持部材４とともに跳ね上げられることはない。これによって、水が支持部材４に衝突した場合でも、踏板２が跳ね上げられるおそれは極めて低くなるので、水流が激しい場合でも、安全に通行装置１００を通って避難できる。
【００４４】
また、この実施形態に係る通行装置１００の踏板２は、取付対象である通路側壁２０１から斜めに突出させた支持部材４で支持される。これによって、通路２００を流れる水の水面下に存在する通行装置１００の構成部品を極力低減することができる。その結果、直接階段上に垂直に踏板の支持材を設ける場合と比較して、通路２００を流れる水が通行装置１００に衝突することによって踏板取付部に作用する荷重を減ずることができ、通行装置１００を軽量化することができる。
【００４５】
図４−１、図４−２は、この実施形態の変形例に係る取付支持部材のストッパキー挿入孔を示す説明図である。図４−１に示すように、この取付支持部材１'は、上部が開放された形状のストッパキー支持用切り欠き１ｈ'を備える。そして、図４−２に示すように、このストッパキー支持用切り欠き１ｈ'にストッパキー７を通し、これを介して取付支持部材１'が踏板２を支持する。このような構成によって、踏板２の踏面側に突出する取付支持部材１'を小さく抑える、あるいは突出をなくすことができるので、避難者が取付支持部材１'につまずくおそれをさらに低減することができる。これにより、避難時の安全性をより向上させることができる。
【００４６】
以上、この実施形態では、地下施設へ出入りするための通路の側壁に、展開及び折り畳みが可能な踏板を取り付け、浸水時には踏板を展開して前記側壁から前記踏板を突出させ、かつ前記出入通路の地面から所定の高さに前記踏板を設置して避難経路とする。これによって、地下施設から地上へ避難する避難者は、通路を流れる水の上に突出した踏板を通って地上部へ避難することができる。その結果、地下施設へ出入りする通路から地下施設へ浸水している状況においても、避難者は通路を流れる水の水面よりも高い位置で地上部へ避難することが可能になるので、地下施設から地上部へ安全に避難することができる。
【００４７】
また、体力が比較的少ない女性や子供、あるいは高齢者も、この実施形態に係る通行装置を通行して、安全かつ確実に地上部へ避難することができる。さらに、さらにこの実施形態に係る通行装置は、複数の踏板が出入通路の傾斜に沿って階段状に配置され、踏板の踏面は、ほぼ水平（重力の作用方向に対してほぼ直交する方向）となる。これによって、踏面上での安定性が向上するので、より安全に避難することができる。
【００４８】
また、この実施形態に係る通行装置は、既存の通路の側壁に対して付加的に取り付けることができるので、避難経路がない地下施設へ出入りするための通路でも、簡単に避難経路を設けることができる。さらに、通路の出入口への止水板の設置が間に合わず、通路内部への水の流入が激しくなった後でも、この通行装置を通って地下施設から止水板を搬送することによって、通路の出入口へ止水板を設置することができる。なお、この実施形態で開示した構成は、以下の実施形態でも適宜適用できる。また、この実施形態で開示した構成と同様の構成を備えるものは、この実施形態と同様の作用、効果を奏する。
【００４９】
（実施形態２）
実施形態２は、上記実施形態１とほぼ同様の構成であるが、踏板を通路側壁から突出させた状態における出入通路側の踏板の端部には、避難者の踏み外し防止用部材として機能する張出部が設けられる点が異なる。他の構成は、実施形態１と同様である。
【００５０】
図５は、実施形態２に係る通行装置の構成を説明する全体構成図である。図６−１、図６−２は、実施形態２に係る通行装置を展開した状態を示す説明図である。図７−１、図７−２は、実施形態２に係る通行装置を格納した状態を示す説明図である。この実施形態に係る通行装置１００ａは、支持部材４ａを除いて実施形態１に係る通行装置１００（図２−１等参照）と同様の構成である。
【００５１】
図６−１、図６−２に示すように、通行装置１００ａの支持部材４ａの側板４Ｓａは、回転ピン６によって踏板２と連結される部分から張り出す張出部４ＳＦが設けられている。これによって、通行装置１００ａを展開した状態では、支持部材４ａの前記張出部４ＳＦが、踏板２から通路側壁２０１とは反対側に向かって張り出す。その結果、通行装置１００ａを通行する避難者が、踏板２から足を踏み外すおそれを低減できるので、避難時の安全性が向上する。なお、平常時には、図７−１、図７−２に示すように、支持部材４ａ内に踏板２が収納されて通路側壁２０１に寄せて通行装置１００ａが格納されるので、通路を通行する際の障害となることを最小限に抑えることができる。
【００５２】
以上、この実施形態では、浸水時には通行装置の踏板を展開して、地下施設へ出入りする通路の側壁から前記踏板を突出させるとともに、張出部を踏板から通路に向かって張り出させ、かつ前記出入通路の地面から所定の高さに前記踏板を設置して避難経路とする。これによって、地下施設から地上へ避難する避難者が、踏板から足を踏み外すおそれを低減できるので、地下施設から地上部へ、より安全に避難することができる。なお、この実施形態で開示した構成は、以下の実施形態でも適宜適用できる。また、この実施形態で開示した構成と同様の構成を備えるものは、この実施形態と同様の作用、効果を奏する。
【００５３】
（実施形態３）
実施形態３は、上記実施形態１とほぼ同様の構成であるが、隣接する通行装置の踏板同士の間に、踏み抜き防止部材を配置する点が異なる。他の構成は、実施形態１と同様である。
【００５４】
図８は、実施形態３に係る通行装置の構成を説明する全体構成図である。図９−１、図９−２は、実施形態３に係る通行装置を展開した状態を示す説明図である。図９−３、図９−４は、踏み抜き防止部材の取り付け構造を示す説明図である。図１０−１、図１０−２は、実施形態３に係る通行装置を格納した状態を示す説明図である。この実施形態に係る通行装置１００ｂは、踏板２ｂ及び踏み抜き防止部材である踏み抜き防止板８を踏板２ｂに取り付ける点を除いて、実施形態１に係る通行装置１００（図２−１等参照）と同様の構成である。
【００５５】
図８、図９−１、図９−２に示すように、この通行装置１００ｂは、踏板２ｂの、出入口２００Ｉ側とは反対側に、踏み抜き防止板８が取り付けられている。この踏み抜き防止板８は、一方の端部が出入口２００Ｉ側の通行装置１００ｂの踏板２ｂに取り付けられる。そして、前記踏み抜き防止板８の他方の端部は、踏み抜き防止板８が取り付けられる通行装置１００ｂよりも地下施設側（出入口２００Ｉ側とは反対側）に隣接して配置される通行装置１００ｂの踏板２ｂの踏面Ｐ上に載置される。
【００５６】
図９−３、図９−４に示すように、踏板２ｂの踏板補強部材２Ｓｂには、踏み抜き防止板８を取り付けるための取付孔２ｂｏが設けられる。また、図９−３、図９−４に示すように、踏み抜き防止板８は、踏板補強部材２Ｓｂの取付孔２ｂｏと係合する取付部８ｈが設けられる。通行装置１００ｂの使用時には、踏み抜き防止板８の取付部８ｈを踏板補強部材２Ｓｂの取付孔２ｂｏに引っ掛け、前記取付孔２ｂｏと係合させ、図８、図９−１、図９−２に示すように、踏み抜き防止板８の取付部８ｈとは反対側の端部を、踏板２ｂの頂板２Ｐ上に載置する。
【００５７】
これによって、通行装置１００ｂの使用時には、隣接する通行装置１００の踏板２ｂ間を踏み抜き防止板８が覆う。これによって、避難者が通行装置１００ｂを出入口２００Ｉに向かって通行する際に、隣接する通行装置１００の踏板２ｂ間に足を踏み入れた場合でも、踏み抜き防止板８によって踏板２ｂから足を踏み外すことはない。これによって、避難時の安全性が向上する。なお、平常時には、図１０−１、図１０−２に示すように、支持部材４ａ内に踏板２ｂが収納され、かつ通路側壁２０１に寄せて通行装置１００ｂが格納されるので、通路を通行する際の障害となることを最小限に抑えることができる。このとき、踏み抜き防止板８も支持部材４ｂ内に収納される。
【００５８】
以上、この実施形態では、浸水時には通行装置の踏板を展開して、地下施設へ出入りする通路の側壁から前記踏板を突出させるとともに、隣接する踏板同士の間に踏み抜き防止部材を配置し、かつ前記出入通路の地面から所定の高さに前記踏板を設置して避難経路とする。これによって、地下施設から地上へ避難する避難者が、踏板から足を踏み外すおそれを低減できるので、地下施設から地上部へ、より安全に避難することができる。なお、この実施形態で開示した構成は、以下の実施形態でも適宜適用できる。また、この実施形態で開示した構成と同様の構成を備えるものは、この実施形態と同様の作用、効果を奏する。
【００５９】
（実施形態４）
実施形態４は、上記実施形態１とほぼ同様の構成であるが、避難者が通行する踏板の踏面が通路の階段の傾斜とほぼ平行になるようにする点が異なる。他の構成は、実施形態１と同様である。
【００６０】
図１１は、実施形態４に係る通行装置の構成を説明する全体構成図である。図１２−１、図１２−２は、実施形態４に係る通行装置を展開した状態を示す説明図である。図１３−１、図１３−２は、実施形態４に係る通行装置を格納した状態を示す説明図である。図１１に示すように、この実施形態に係る通行装置１００ｃは、使用時における踏板２ｃの踏面（頂板２Ｐの踏面に相当する）Ｐが、通路２００の階段２０３の傾斜とほぼ平行になるように、通路側壁２０１に取り付けられる。
【００６１】
この実施形態に係る通行装置１００ｃは、通行方向における寸法が、実施形態１に係る通行装置１００（図１等参照）よりも大きい。これによって、通路側壁２０１に取り付ける通行装置１００ｃの数は、実施形態１に係る通行装置１００よりも少なくてよい。この実施形態では、複数の通行装置１００ｃを通路側壁２０１に取り付けているが、通路側壁２０１に取り付ける通行装置１００ｃは単数としてもよい。
【００６２】
図１２−１、図１２−２に示すように、頂板２Ｐの踏面には、滑り止め手段として、滑り止めの突起（以下滑り止め突起という）９が設けられる。なお、滑り止め手段としては、滑り止め突起９以外のものを用いてもよい。また、この実施形態においては、一つの通行装置１００ｃに、通行方向に向かって複数の踏板２ｃを配置する。なお、踏板２ｃは一つの通行装置１００ｃに対して１個としてもよい。
【００６３】
複数の踏板２ｃは、ストッパキー７で支持されるが、ストッパキー７の撓みが大きくならないように、ストッパキー７は取付支持部材１ｃに複数箇所で支持される。この実施形態においては、踏板２ｃの１枚毎にストッパキー７ｃの支持部が設けられる。なお、隣接する踏板２ｃは、ストッパキー７ｃの引抜を考慮して、隣接する踏板２ｃの踏面Ｐが同一平面内に存在しないようにしてある。
【００６４】
この実施形態に係る通行装置１００ｃは、使用時における踏板２ｃの踏面Ｐが、通路２００の階段２０３の傾斜とほぼ平行になるように構成されるので、隣接して配置される通行装置１００ｃの踏板２ｃ同士の段差を小さく抑えることができる。これによって、踏板２ｃを踏み外すおそれを低減できる。なお、平常時には、図１３−１、図１３−２に示すように、支持部材４ｃ内に踏板２ｃが収納され、かつ通路側壁２０１に寄せて通行装置１００ｃが格納されるので、通路を通行する際の障害となることを最小限に抑えることができる。
【００６５】
以上、この実施形態では、浸水時には通行装置の踏板を展開して、地下施設へ出入りする通路の側壁から、踏板の踏面が通路の階段の傾斜とほぼ平行になるように、踏板を突出させ、かつ前記出入通路の地面から所定の高さに前記踏板を設置して避難経路とする。これによって、隣接して配置される通行装置の踏板同士の段差を小さく抑えることができるので、地下施設から地上へ避難する避難者が、踏板につまずくおそれを低減できる。その結果、避難者は、地下施設から地上部へ安全に避難することができる。また、通路の側壁に取り付ける通行装置の数を少なくすることができるので、設置工事時の手間を省くこともできる。なお、この実施形態で開示した構成と同様の構成を備えるものは、この実施形態と同様の作用、効果を奏する。
【産業上の利用可能性】
【００６６】
以上のように、本発明に係る通行装置は、地下鉄や地下街等の地下施設への浸水が発生している際に有用であり、特に、地下施設から地上部への安全な避難経路を確保することに適している。
【図面の簡単な説明】
【００６７】
【図１】実施形態１に係る通行装置の構成を説明する全体構成図である。
【図２−１】実施形態１に係る通行装置を展開した状態を示す説明図である。
【図２−２】実施形態１に係る通行装置を展開した状態を示す説明図である。
【図２−３】実施形態１に係る通行装置を展開した状態を示す説明図である。
【図３−１】実施形態１に係る通行装置を格納した状態を示す説明図である。
【図３−２】実施形態１に係る通行装置を格納した状態を示す説明図である。
【図３−３】実施形態１に係る通行装置を格納した状態を示す説明図である。
【図４−１】この実施形態の変形例に係る取付支持部材のストッパキー挿入孔を示す説明図である。
【図４−２】この実施形態の変形例に係る取付支持部材のストッパキー挿入孔を示す説明図である。
【図５】実施形態２に係る通行装置の構成を説明する全体構成図である。
【図６−１】実施形態２に係る通行装置を展開した状態を示す説明図である。
【図６−２】実施形態２に係る通行装置を展開した状態を示す説明図である。
【図７−１】実施形態２に係る通行装置を格納した状態を示す説明図である。
【図７−２】実施形態２に係る通行装置を格納した状態を示す説明図である。
【図８】実施形態３に係る通行装置の構成を説明する全体構成図である。
【図９−１】実施形態３に係る通行装置を展開した状態を示す説明図である。
【図９−２】実施形態３に係る通行装置を展開した状態を示す説明図である。
【図９−３】踏み抜き防止部材の取り付け構造を示す説明図である。
【図９−４】踏み抜き防止部材の取り付け構造を示す説明図である。
【図１０−１】実施形態３に係る通行装置を格納した状態を示す説明図である。
【図１０−２】実施形態３に係る通行装置を格納した状態を示す説明図である。
【図１１】実施形態４に係る通行装置の構成を説明する全体構成図である。
【図１２−１】実施形態４に係る通行装置を展開した状態を示す説明図である。
【図１２−２】実施形態４に係る通行装置を展開した状態を示す説明図である。
【図１３−１】実施形態４に係る通行装置を格納した状態を示す説明図である。
【図１３−２】実施形態４に係る通行装置を格納した状態を示す説明図である。
【図１４】急激な水位の上昇に対して止水板の設置が間に合わない状態を示す概念図である。
【符号の説明】
【００６８】
１、１'、１ｃ  取付支持部材
１ｈ  ストッパキー挿入孔
２、２ｂ、２ｃ  踏板
２ｈ  ストッパキー挿入孔
２ｂｏ  取付孔
２ｆ  鍔部
２Ｐ  頂板
２Ｓ、２Ｓｂ  踏板補強部材
２ｈ  ストッパキー挿入孔
４、４ａ、４ｂ、４ｃ  支持部材
４ｈ  ストッパキー挿入孔
４ＳＦ  張出部
５  回転ピン
６  回転ピン
７、７ｃ  ストッパキー
８  踏み抜き防止板
１００、１００ａ、１００ｂ、１００ｃ  通行装置
２００  通路（出入通路）
２００Ｉ  出入口
２０１  通路側壁
２０３  階段
【図１】
2007204917.tif 000003
【図２−１】
2007204917.tif 000004
【図２−２】
2007204917.tif 000005
【図２−３】
2007204917.tif 000006
【図３−１】
2007204917.tif 000007
【図３−２】
2007204917.tif 000008
【図３−３】
2007204917.tif 000009
【図４−１】
2007204917.tif 000010
【図４−２】
2007204917.tif 000011
【図５】
2007204917.tif 000012
【図６−１】
2007204917.tif 000013
【図６−２】
2007204917.tif 000014
【図７−１】
2007204917.tif 000015
【図７−２】
2007204917.tif 000016
【図８】
2007204917.tif 000017
【図９−１】
2007204917.tif 000018
【図９−２】
2007204917.tif 000019
【図９−３】
2007204917.tif 000020
【図９−４】
2007204917.tif 000021
【図１０−１】
2007204917.tif 000022
【図１０−２】
2007204917.tif 000023
【図１１】
2007204917.tif 000024
【図１２−１】
2007204917.tif 000025
【図１２−２】
2007204917.tif 000026
【図１３−１】
2007204917.tif 000027
【図１３−２】
2007204917.tif 000028
【図１４】
2007204917.tif 000029